(57)【特許請求の範囲】
【請求項１】
外壁と、この外壁に固定されている外装材と、この外装材と前記外壁との間に設けられている外断熱材とを備えた外断熱構造の開口部における水切りの取付構造において、
前記水切りは、前記外壁に固定される固定部と、この固定部より下方に延びる水切り本体とを有し、
前記開口部の上方において、前記外壁と前記外装材間に前記外断熱材が設けられていない空間があり、この空間に面している前記外壁の表面に前記水切りの固定部が固定され、
前記空間に前記水切り本体が面しており、
前記外壁に、前記水切り本体と対向して、前記空間を挟んでふかし材が水平方向に設けられ、
前記開口部の上に設けられている前記水切りの水切り本体の上方に、前記ふかし材が設けられ、このふかし材の上面に前記外断熱材が当接しているとともに、
前記開口部の下方において、前記外壁と前記外装材間に前記外断熱材が設けられていない空間があり、この空間に面している前記外壁の表面に前記水切りの固定部が固定され、
前記開口部の下に設けられている前記水切りの水切り本体の下方に、前記ふかし材が設けられ、このふかし材の下面に前記外断熱材が当接しており、
かつ前記開口部の下に設けられている前記水切りの水切り本体の下方に、外側に傾斜する水勾配を有する桁材が前記空間と面して設けられている
ことを特徴とする水切りの取付構造。
【発明の詳細な説明】
【技術分野】
【０００１】
本発明は、水切りの取付構造に関する。
【背景技術】
【０００２】
従来、内断熱工法の場合と同じサッシや付属品を利用でき、製造、管理、作業の各種コストを低減できる外断熱式外壁構造を提供することが提案されていた（例えば、特許文献１）。この外断熱式外壁構造においては、開口部における柱の外方にサッシ支持枠が取付けられている。そして、従来と同様に、このサッシ支持枠の外方に外装材がはみ出ないように施工するため、サッシ支持枠の厚みより薄い断熱材を使用している。ところで、従来から使用されている断熱材で外断熱構造を提供したいという要望がある。
【先行技術文献】
【特許文献】
【０００３】
【特許文献１】特開２００３−１６６３７９号公報
【発明の概要】
【発明が解決しようとする課題】
【０００４】
しかし、従来から使用している断熱材（グラスウール、ロックウール等）を外断熱材として使用する場合、この外断熱材に厚みがあるため、サッシ等の外部建具の外方に外壁材が位置してしまう。そのため、新たな防水構造を提供しないと、外部建具の周囲から外装材内の断熱材等へ雨漏りすることが想定される。そこで、外断熱構造の開口部において、外部建具の周囲から外装材内の断熱材等へ雨漏りしないようにする新たな防水構造を提供することが望まれる。
【０００５】
本発明は、外断熱構造の開口部において水切りを取付けることができる水切りの取付構造を提供することを目的とする。
【課題を解決するための手段】
【０００６】
上記課題の少なくとも一つを解決するために、請求項１に記載の水切り３０ａ、３１ａの取付構造に係る発明は、例えば、図１〜図４に示すように、
外壁１と、この外壁１に固定されている外装材７と、この外装材７と前記外壁１との間に設けられている外断熱材４とを備えた外断熱構造の開口部における水切り３０ａ、３１ａの取付構造において、
前記水切り３０ａ、３１ａは、前記外壁１に固定される固定部３０ａ１、３１ａ１と、この固定部３０ａ１、３１ａ１より下方に延びる水切り本体３０ａ２、３１ａ２とを有し、
前記開口部の上方において、前記外壁１と前記外装材７間に前記外断熱材４が設けられていない空間４３ａがあり、この空間４３ａに面している前記外壁１の表面に前記水切り３０ａ、３１ａの固定部３０ａ１、３１ａ１が固定され、
前記空間４３ａに前記水切り本体３０ａ２、３１ａ２が面しており、
前記外壁１に、前記水切り本体３０ａ２、３１ａ２と対向して、前記空間４３ａを挟んでふかし材２ｂが水平方向に設けられ、
前記開口部の上に設けられている前記水切り３０ａ、３１ａの水切り本体３０ａ２、３１ａ２の上方に、前記ふかし材２ｂが設けられ、このふかし材２ｂの上面に前記外断熱材４が当接しているとともに、
前記開口部の下方において、前記外壁１と前記外装材７間に前記外断熱材４が設けられていない空間４３ｂがあり、この空間４３ｂに面している前記外壁１の表面に前記水切り３０ｂ、３１ｂの固定部３０ｂ１、３１ｂ１が固定され、
前記開口部の下に設けられている前記水切り３０ｂ、３１ｂの水切り本体３０ｂ２、３１ｂ２の下方に、前記ふかし材２ｂが設けられ、このふかし材２ｂの下面に前記外断熱材４が当接しており、
かつ前記開口部の下に設けられている前記水切り３０ｂ、３１ｂの水切り本体３０ｂ２、３１ｂ２の下方に、外側に傾斜する水勾配３１を有する桁材２ｃが前記空間４３ｂと面して設けられている
ことを特徴とする。
【０００７】
請求項１に記載の発明によれば、前記開口部の上方において、前記外壁１と前記外装材７間に前記外断熱材４が設けられていない空間４３ａがあり、この空間４３ａに面している前記外壁１の表面に前記水切り３０ａ、３１ａの固定部３０ａ１、３１ａ１が固定されているので、外断熱構造の前記開口部の上方において水切りの取付が可能になる。つまり、外断熱材４が存在しない前記空間４３ａに外壁１の表面が面しているので、当該表面に水切り３０ａ、３１ａの固定部３０ａ１、３１ａ１を容易に固定でき、よって水切りの取り付けが可能となる。
【０００９】
また、前記外壁１に、前記水切り本体３０ａ２、３１ａ２と対向して、前記空間４３ａを挟んでふかし材２ｂが水平方向に設けられているので、開口部の上方において外装材７の取り付け位置を外壁１より少なくともふかし材２ｂの幅分外方に設定でき、よって、外断熱材４を設けるスペースを確保できる。
【００１１】
しかも、前記開口部の上に設けられている前記水切り３０ａ、３１ａの水切り本体３０ａ２、３１ａ２の上方に、前記ふかし材２ｂが設けられ、このふかし材２ｂの上面に前記外断熱材４が当接しているので、このふかし材２ｂの上面で前記外断熱材４を押さえて、前記ふかし材２ｂの下方に外断熱材４が飛び出さないようにできる。
【００１３】
さらに、前記開口部の上方において、前記外壁１と前記外装材７間に前記外断熱材４が設けられていない空間４３ｂがあり、この空間４３ｂに面している前記外壁１の表面に前記水切り３０ｂ、３１ｂの固定部３０ｂ１、３１ｂ１が固定されているので、外断熱構造の前記開口部の上方において水切りの取付が可能になる。つまり、外断熱材４が存在しない前記空間４３ｂに外壁１の表面が面しているので、当該表面に水切り３０ｂ、３１ｂの固定部３０ｂ１、３１ｂ１を容易に固定でき、よって水切りの取り付けが可能となる。また、前記開口部の下に設けられている前記水切り３０ｂ、３１ｂの水切り本体３０ｂ２、３１ｂ２の下方に、前記ふかし材２ｂが設けられ、このふかし材２ｂの下面に前記外断熱材４が当接しているので、このふかし材２ｂの下面で前記外断熱材４を押さえて、前記ふかし材２ｂの上方に外断熱材４が飛び出さないようにできる。
【００１５】
加えて、前記開口部の下に設けられている前記水切り３０ｂ、３１ｂの水切り本体３０ｂ２、３１ｂ２の下方に、外側に傾斜する水勾配３１を有する桁材２ｃが前記空間４３ｂと面して設けられているので、開口部の下方において水が滞留するのを防止することができる。
【発明の効果】
【００１６】
本発明によれば、外断熱構造の開口部において水切りを取付けることができる水切りの取付構造を提供することができる。
【図面の簡単な説明】
【００１７】
【図１】本発明に係る水切りの取付構造の一例を示す図であり、腰窓サッシを取付けた開口部の断面図である。
【図２】同、掃き出しサッシを取付けた開口部の断面図である。
【図３】同、腰窓サッシとブラインドシャッターを取付けた開口部の断面図である。
【図４】本発明に係る外断熱構造の一例を示す図であり、（ａ）は外断熱構造を説明するための図であり、（ｂ）はふかし材の一例を示す図であり、（ｃ）は図４（ａ）のＩ−Ｉ断面図である。
【図５】同、壁パネルの一例を示す斜視図である。
【発明を実施するための形態】
【００１８】
以下、図面を参照して本発明の実施の形態について説明する。
【００１９】
＜実施の形態＞
始めに、図４および図５を参照して、本発明に係る水切りの取り付け構造が適用される外断熱構造について説明する。
図４は住宅等の建物の外断熱構造を示し、図５は図４の外壁１を構成する壁パネル１Ａの構造を示す。なお、本実施の形態において、外壁１は、壁パネル１Ａと、開口部の上方に用いられる壁パネル１Ａ１と、開口部の下方に用いられる壁パネル１Ａ２とから構成される。図４（ａ）および図４（ｂ）において符号１０は建物の基礎を示す。この基礎１０の上に換気台輪１１が設けられ、換気台輪１１の上に床パネル１２と半土台１３が設けられ、これら床パネル１２と半土台１３の上に壁パネル１Ａが設けられている。ここで、床パネル１２と半土台１３とは接着剤等で接合されている。
図５に示すように、前記壁パネル１Ａは、縦框材２１，２１と横框材２２，２２とが矩形状に組み立てられるとともに、この矩形枠の内部に補強芯材２３が縦横に組まれて枠体が形成され、さらにこの枠体内にグラスウール等の断熱材（図示せず）が充填された状態で枠体の表裏面に合板等の面材２５，２５が貼設されたものである。
基礎１０には、アンカーボルト（図示せず）がその上端部を基礎１０から突出させて埋め込まれ、このアンカーボルトが換気台輪１１と、床パネル１２と半土台１３の接合部と、壁パネル１Ａ下部の横框材２２を挿通し、ナット（図示せず）と螺合され、ナットがアンカーボルトに締め付けられることにより、壁パネル１Ａが基礎１０に固定されている。壁パネル１Ａの縦框材２１、横框材２２、補強芯材２３は壁パネル１Ａを構成する構造材である。
【００２０】
ここで、前記外断熱構造では、複数の壁パネル１Ａを横方向に接合してなる外壁１と、この外壁１に固定されている外装材７と、この外装材７と前記外壁１との間に設けられている外断熱材４とを備えた構造において、前記外壁１の表面および半土台１３の表面にふかし材２ａ、２ｂが前記壁パネル１Ａの縦框材２１および半土台１３に沿って配置されているとともに、この縦框材２１および半土台１３に前記ふかし材２ａ、２ｂが固定用ビス８ａで固定されている。図４（ａ）に示す例では、壁パネル１Ａが４枚示されている。立面視において、これら４枚の壁パネル１Ａうちの一番右側の壁パネル１Ａの右の縦框材２１にふかし材１ａが固定されている。右から２番目と３番目の壁パネル１Ａについては、右と左の縦框材２１にふかし材１ａが固定されている。一番左の壁パネル１Ａについては、左の縦框材２１にふかし材１ａが固定されている。これは、押え材の長さが壁パネル２枚分の長さ（例えば、１８２０ｍｍ）であるため、これに合わせて、ふかし材の取り付け枚数が決められている。
【００２１】
ふかし材２ａ，２ｂは長尺な帯板材で形成されており、図４（ｃ）に示すように、ふかし材２ａ、２ｂに予め所定間隔でビス孔８ｃが複数設けられている。そのため、現場で、ふかし材２ａ、２ｂを縦框材２１に取付ける際の作業効率が向上する。具体的には、前記ふかし材２ａ、２ｂは、長手方向において、互いに向かい合う広い面と、互いに向かい合う狭い面を有し、前記狭い面間にビスが挿通されるビス孔８ｃが予め設けられ、このビス孔８ｃに一方の前記狭い面から他方の前記狭い面へ前記固定用ビス８ａが挿通され、この固定用ビス８ａが前記壁パネル１Ａおよび半土台１３に挿入されることにより、前記壁パネル１Ａおよび半土台１３に前記ふかし材２ａ、２ｂが接合されている。ここで、ふかし材２ａ、２ｂの壁からの幅を大きく（広い面の短手を長く）することにより、厚い外断熱材４を使用することが可能になる。
【００２２】
図４に示す例では、木口隠し９が半土台１３に取付けられた後、前記壁パネル１Ａの下部の半土台１３にふかし材２ｂが横方向に固定用ビス８ａで取付けられている。このふかし材２ｂの両端にふかし材２ａが縦方向に設けられ、前記壁パネル１Ａの縦框材２１にふかし材２ａが縦方向に固定用ビス８ａで取付けられている。
【００２３】
前記壁パネル１Ａの表面に前記外断熱材４が前記ふかし材２ａ、２ｂに当接している状態で設けられている。この外断熱材４は、前記ふかし材２ａに固定された押え材３ａ、３ｂによって、前記壁パネル１Ａの表面および半土台１３の表面に押え付けられている。また、外断熱材としては、グラスウール、ロックウール等の軟質断熱材を使用することができる。この押え材３ａ、３ｂは、固定用ビス８ｂで前記ふかし材２ａに固定されている。押え材３ａ、３ｂ上に外壁防水透湿シート５が外断熱材４の全面を覆うように施工される。
【００２４】
次に、この外壁防水透湿シート５を介して前記押え材３ａ、３ｂに胴縁６が固定され、この胴縁６に前記外装材７が固定されている。具体的には、前記ふかし材２ａは縦方向に延設して横方向に所定間隔で設けられ、前記押え材３ａ、３ｂは横方向に延設して設けられ、前記胴縁６は縦方向に延設して設けられている。また、前記押え材３ａ、３ｂは、その幅が縦方向に広い押え材３ａ、３ｂと、その幅が縦方向に狭い押え材３ａ、３ｂとが交互に縦方向に離間し設けられ、前記広い押え材３ａ、３ｂに前記胴縁６が固定されている。
【００２５】
（腰窓サッシにおける水切りの取り付け構造）
次に、図１を参照して、本発明に係る水切りの取り付け構造の一例について説明する。まず、外壁１と、この外壁１に固定されている外装材７と、この外装材７と前記外壁１との間に設けられている外断熱材４とを備えた外断熱構造の開口部における水切り３０ａ、３０ｂの取付構造について説明する。この開口部を形成する上下の壁パネル１Ａ１、１Ａ２の横框材２２に、固定用ビス８ｂによりサッシ支持枠５０が取付けられている。このサッシ支持枠５０は、腰窓用のサッシ支持枠であり、外壁１の外方に突出して取付けられ、サッシ５１を支持している。水切り３０ａ、３０ｂがサッシ支持枠５０の上下にそれぞれ設けられている。なお、壁パネル１Ａ１、１Ａ２は、壁パネル１Ａと基本構造は同じであり、壁パネル１Ａと縦方向および横方向の長さが異なっている。
【００２６】
前記水切り３０ａは、前記外壁１に固定用ビス８ｂにより固定される固定部３０ａ１と、この固定部３０ａ１の下端より下方に延びる水切り本体３０ａ２とを有している。前記水切り３０ｂは、前記外壁１に固定用ビス８ｂにより固定される固定部３０ｂ１と、この固定部３０ｂ１の上端より下方に延びる水切り本体３０ｂ２とを有している。また、前記開口部の上方および下方において、前記外壁１と前記外装材７間に前記外断熱材４が設けられていない空間４３ａ、４３ｂがあり、この空間４３ａ、４３ｂに面している前記外壁１の表面に前記水切り３０ａ、３０ｂの固定部３０ａ１、３０ｂ１が固定されている。
【００２７】
ここで、固定部３０ａ１は、外壁１に固定される固定部分３０ａ１１と、この固定部分３０ａ１１の下端から外方に延びる水平部分３０ａ１２と、この水平部分３０ａ１２の外方の端部から下方に外壁１の下端位置近傍まで延設する延設部分３０ａ１３とから構成されている。
一方、前記空間４３ａに面する壁パネル１Ａ１の下端部表面には、サッシ支持枠５０の上端部が前記延設部分３０ａ１３の内側に配置されて固定されている。これによって、サッシ支持枠５０の上端部と固定部３０ａ１とが干渉するのを防止している。
また、固定部３０ｂ１は、外壁１に固定される固定部分３０ｂ１１と、この固定部分３０ｂ１１の上端から外方に延びる水平部分３０ｂ１２と、この水平部分３０ｂ１２の外方の端部から上方に外壁１の上端位置近傍まで延設する延設部分３０ｂ１３とから構成されている。
一方、前記空間４３ｂに面する壁パネル１Ａ２の上端部表面には、サッシ支持枠５０の下端部が前記延設部分３０ｂ１３の内側に配置されて固定されている。これによって、サッシ支持枠５０の下端部と固定部３０ｂ１とが干渉するのを防止している。
【００２８】
水切り本体３０ａ２、３０ｂ２は、固定部３０ａ１、３０ｂ１の延設部分３０ａ１３、３０ｂ１３の端部から外壁１の外方へ延設されている部分である。水切り本体３０ａ２の先端近傍において、水切り本体３０ａ２の上面と外装材７の下端の間が、バックアップ材４２およびシーリング材４１によって防水処理されている。また、水切り本体３０ｂ２の先端近傍において、水切り本体３０ｂ２下面と外装材７の下端の間が、バックアップ材４２及びシーリング材４１によって防水処理されている。
【００２９】
万一、外装材７の内側（空間４３ａ）に水が浸入した場合、水切り本体３０ａの上面を左右に流れて水切り本体３０ａの両端部から水が流下し、外壁防水透湿シート５の表面を下方へと流れ、基礎水切りで外部に排出される。
【００３０】
また、前記空間４３ａ、４３ｂに前記水切り本体３０ａ２、３０ｂ２が面しており、前記外壁１に、前記水切り本体３０ａ２、３０ｂ２と対向して、前記空間４３ａ、４３ｂを挟んでふかし材２ｂが水平方向に設けられている。また、前記開口部の上に設けられている前記水切り３０ａの水切り本体３０ａ２の上方に、前記ふかし材２ｂが設けられ、このふかし材２ｂの上面に前記外断熱材４が当接している。また、前記開口部の下に設けられている前記水切り３０ｂの水切り本体３０ｂ２の下方に、前記ふかし材２ｂが設けられ、このふかし材２ｂの下面に前記外断熱材４が当接している。
【００３１】
ここで、前述したように、ふかし材２ｂは、外断熱材４を取り付けるために設けられている。これに加えて、開口部において、ふかし材２ｂは、外断熱材４を設けるスペースと水切り３０ａ、３０ｂを取り付けるスペースを区切る役割をしている。
【００３２】
ここで、水切り３０ａの取り付け手順について説明する。始めに、外壁１にふかし材２ｂを取付ける。次に、このふかし材２ｂに押え材３ａを固定用ビス８ｂで固定する。ここで、防水ライン４０が示すように、押え材３ａ、外断熱材４、ふかし材２ｂ、外壁１の表面を覆うように、外壁防水透湿シート５を施工する。この外壁防水透湿シート５を介して壁パネル１Ａ１に水切り３０ａの固定部３０ａ１を固定する。このように、防水ライン４０を確保するため、水切り３０ｂを取付ける前に、外壁１にふかし材２ａを取付ける必要がある。なお、開口部上部の胴縁として、押え材３ａに下耳付き胴縁６ａが固定されている。
【００３３】
また、前記開口部の下に設けられている前記水切り３０ｂの水切り本体３０ｂ２の下方に、前記空間４３ｂと面している水勾配３１を有する桁材２ｃが設けられている。この桁材２ｃは、ふかし材２ｂの上面に設けられている。桁材２ｃの幅は、ふかし材２ｂの幅より大きく、ふかし材２ｂに押え材３ａが取付けられたときの幅と略等しく設定されている。
【００３４】
ここで、水切り３０ｂの取り付け手順について説明する。ふかし材２ｂ及び桁材２ｃを外壁１に取付ける。次に、このふかし材２ｂに押え材３ａを固定用ビス８ｂで固定する。ここで、防水ライン４０が示すように、外壁１、桁材２ｃ、押え材３ａ、ふかし材２ｂ、外断熱材４の表面を覆うように、外壁防水透湿シート５を施工する。この外壁防水透湿シート５を介して壁パネル１Ａ２に水切り３０ｂの固定部３０ｂ１を固定する。このように、防水ライン４０を確保するため、水切り３０ｂを取付ける前に、外壁１にふかし材２ｂを取付ける必要がある。
【００３５】
（掃き出しサッシにおける水切りの取り付け構造）
次に、図２を参照して、外壁１と、この外壁１に固定されている外装材７と、この外装材７と前記外壁１との間に設けられている外断熱材４とを備えた外断熱構造の開口部における水切り３０ａ、３０ｃの取付構造について説明する。この開口部を形成する上の壁パネル１Ａ１の横框材２２に、固定用ビス８ｂによりサッシ支持枠５０ａが取付けられ、前記開口部を形成する下の床パネル１２の端部および半土台１３に、固定用ビス８ｂによりサッシ支持枠５０ａが取付けられている。このサッシ支持枠５０ａは、掃き出し用のサッシ支持枠であり、外壁１の外方に突出して取付けられ、サッシ５１ａを支持している。水切り３０ａ、３０ｃがサッシ支持枠５０ａの上下にそれぞれ設けられている。ここで、開口部上方の水切り３０ａの取り付け構造は、図１で説明した取り付け構造と同じであるため、同じ部材には同じ符号を付して、説明を省略する。
【００３６】
開口部下方の水切り３０ｃの取り付け構造について説明する、防腐処理された半土台１３にサッシ支持枠５０ａの下部が固定用ビス８ｂにより固定されている。ここで、防水ライン４０が示すように、サッシ支持枠５０ａの下部から半土台１３の表面に外壁防水透湿シート５が施工されている。この外壁防水透湿シート５を介して半土台１３にアルミ基礎水切り３０ｃの固定部３０ｃ１が固定用ビス８で固定されている。ここで、アルミ基礎水切り３０ｃは、固定部３０ｃ１と、この固定部３０ｃ１より下方に延びる水切り本体３０ｃ２とから構成されている。そして、半土台１３の外方にサッシ支持枠５０ａの取り付け部５０ａ１、外壁防水透湿シート５、固定部３０ｃ１の取り付け部を隠すように掃き出し用下目板３２が設けられている。サッシ支持枠５０ａの下部と掃き出し用下目板３２の隙間はシーリング材４１で防水処理されている。
【００３７】
（ブラインドシャッターにおける水切りの取り付け構造）
次に、図３を参照して、外壁１と、この外壁１に固定されている外装材７と、この外装材７と前記外壁１との間に設けられている外断熱材４とを備えた外断熱構造の開口部における水切り３１ａ、３１ｂの取付構造について説明する。この開口部を形成する上の壁パネル１Ａ１の横框材２２に、固定用ビス８ｂによりサッシ支持枠５０が取付けられ、前記開口部を形成する下の壁パネル１Ａ２の横框材２２に、固定用ビス８ｂによりサッシ支持枠５０が取付けられている。このサッシ支持枠５０は、腰窓用のサッシ支持枠であり、外壁１の外方に突出して取付けられ、サッシ５１を支持している。水切り３１ａ、３１ｂがサッシ支持枠５０の上下にそれぞれ設けられている。ここで、図１に示す水切り３０ｂと比べて、水切り３１ｂの固定部３１ｂ１および水切り本体３１ｂ２の形状が異なっている。その他、開口部下方の水切り３１ｂの取り付け構造は、図１で説明した取り付け構造と同じであるため、同じ部材には同じ符号を付して、説明を省略する。なお、水切り３１ｂは、ブラインドシャッター６０と別体または一体として設けることができる。
【００３８】
前記水切り３１ａは、前記外壁１に固定用ビス８ｂにより固定される固定部３１ａ１と、この固定部３１ａ１より下方に延びる水切り本体３１ａ２とを有している。また、前記開口部の上方において、前記外壁１と前記外装材７間に前記外断熱材４が設けられていない空間４３ａがあり、この空間４３ａに面している前記外壁１の表面に前記水切り３１ａの固定部３１ａ１が固定されている。
【００３９】
ここで、水切り本体３１ａ２の中央部において、水切り本体３１ａ２の上面と外装材７の下端の間が、バックアップ材４２およびシーリング材４１によって防水処理されている。ここで、水切り３１ａは、ブラインドシャッター６０と別体または一体として設けることができる。その他、水切りの取り付け構造は、上述した腰窓サッシにおける水切りの取り付け構造と同じであるため、同じ符号を付して説明を省略する。
【００４０】
本実施の形態によれば、前記開口部の上方および下方において、前記外壁１と前記外装材７間に前記外断熱材４が設けられていない空間４３ａ、４３ｂがあり、この空間４３ａ、４３ｂに面している前記外壁１の表面に前記水切り３０ａ、３０ｂ、３１ａ、３１ｂの固定部３０ａ１、３０ｂ１、３１ａ１、３１ｂ１が固定されていることにより、外断熱構造の前記開口部の上方および下方において前記空間４３ａ、４３ｂを設けることができるため、外断熱構造の開口部における水切りの取付が可能になる。
【００４１】
また、前記外壁１に、前記水切り本体３０ａ２、３０ｂ２、３１ａ２、３１ｂ２と対向して、前記空間４３ａ、４３ｂを挟んでふかし材２ｂが水平方向に設けられていることにより、開口部の上方および下方において外装材７の取り付け位置を外壁１より少なくともふかし材２ｂの幅分外方に設定できるため、外断熱材４を設けるスペースを確保できる。
【００４２】
また、前記開口部の上に設けられている前記水切り３０ａ、３１ａの水切り本体３０ａ２、３１ａ２の上方に、前記ふかし材２ｂが設けられ、このふかし材２ｂの上面に前記外断熱材４が当接していることにより、このふかし材２ｂの上面で前記外断熱材４を押さえることができるため、前記ふかし材２ｂの下方に外断熱材４が飛び出さないようにできる。
【００４３】
また、前記開口部の下に設けられている前記水切り３０ｂ、３１ｂの水切り本体３０ｂ２、３１ｂ２の下方に、前記ふかし材２ｂが設けられ、このふかし材２ｂの下面に前記外断熱材４が当接していることにより、このふかし材２ｂの下面で前記外断熱材４を押さえることができるため、前記ふかし材２ｂの上方に外断熱材４が飛び出さないようにできる。
【００４４】
また、前記開口部の下に設けられている前記水切り３０ｂ、３１ｂの水切り本体３０ｂ２、３１ｂ２の下方に、前記空間４３ｂと面している水勾配３１を有する桁材２ｃが設けられていることにより、水を押え材３ａ側に誘導できるため、開口部の下方において適切な防水処理をすることができる。
【符号の説明】
【００４５】
１     外壁
２ａ、２ｂ    ふかし材
２ｃ   桁材
４     外断熱材
７     外装材
３０ａ、３０ｂ、３１ａ、３１ｂ     水切り
３１   水勾配
４３ａ、４３ｂ       空間
【図１】
0005745984.tif 000002
【図２】
0005745984.tif 000003
【図３】
0005745984.tif 000004
【図４】
0005745984.tif 000005
【図５】
0005745984.tif 000006